(57)【要約】【課題】            気密性を保持しつつ開閉部を簡易に着脱できるグローブボックスを提供すること。【解決手段】          グローブボックス本体２と、シール部材９を介してグローブボックス本体２に着脱可能な開閉部３と、で気密室４を構成するものであって、グローブボックス本体２と開閉部３との間に弾性力を付勢する複数のキャッチクリップと、各キャッチクリップの前記弾性力をそれぞれ調節する複数の弾性力調節手段６と、を具備する。キャッチクリップは、開閉部３側に配置される係止部51と、グローブボックス本体２側に配置されるベース部52と、係止部51に係合可能なフック部53と、ベース部52とフック部53との間に配置され弾性力を付勢する弾性部材54と、で構成される。また、弾性力調節手段は、グローブボックス本体２に固定される固定部61と、固定部61とベース部52とを連結すると共に当該固定部61と当該ベース部52との距離を調節する連結手段62と、で構成される。【選択図】          図４
2012148349.tif 000002
【特許請求の範囲】
【請求項１】
グローブボックス本体と、シール部材を介して前記グローブボックス本体に着脱可能な開閉部と、で気密室を構成するグローブボックスであって、
前記グローブボックス本体と前記開閉部との間に弾性力を付勢する複数のキャッチクリップと、
前記各キャッチクリップの前記弾性力をそれぞれ調節する複数の弾性力調節手段と、
を具備することを特徴とするグローブボックス。
【請求項２】
前記キャッチクリップは、前記開閉部側に配置される係止部と、前記グローブボックス本体側に配置されるベース部と、前記係止部に係合可能なフック部と、前記ベース部と前記フック部との間に配置され前記弾性力を付勢する弾性部材と、で構成され、
前記弾性力調節手段は、前記グローブボックス本体に固定される固定部と、前記固定部と前記ベース部とを連結すると共に当該固定部と当該ベース部との距離を調節する連結手段と、で構成されることを特徴とする請求項１記載のグローブボックス。
【請求項３】
前記固定部は、溶接によって前記グローブボックスに固定されることを特徴とする請求項２記載のグローブボックス。
【発明の詳細な説明】
【技術分野】
【０００１】
本発明は、観察窓等が設けられた開閉部を容易に着脱可能なグローブボックスに関するものである。
【背景技術】
【０００２】
従来、大気中では不安定な物質等を扱うために、グローブボックスが用いられている。グローブボックスは、外部と隔離された気密室を有し、気密室内を不活性ガスや乾燥ガス等に置換し、外部側からゴム製のグローブを介して気密室内の作業を行えるようにしたものである（例えば、特許文献１）。
【０００３】
このようなグローブボックスは、気密室内に物を搬入したり、気密室内を清掃するための開閉部が形成されている。ここで、気密室内を観察するための窓枠等、開閉部が大きいものに関しては、ボルトとナットで固定するものが一般的である。
【０００４】
【特許文献１】特開２００５−８１４５２
【発明の開示】
【発明が解決しようとする課題】
【０００５】
しかしながら、従来のようにボルトで着脱するものは、開閉部の着脱が面倒で時間も掛かるという問題があった。そこで、着脱の簡単なキャッチクリップを用いて開閉部の開閉を行うことが考えられるが、キャッチクリップはボルトで着脱する場合に比較して力が弱く、開閉部とグローブボックス本体との当接部に歪みがあると、気密室の気密性が損なわれるという問題があった。また、当該当接部に歪みのないものを作るには、熟練の技を必要とする他、製造に時間が掛かるという問題もあった。
【０００６】
そこで本発明は、気密性を保持しつつ開閉部を簡易に着脱できるグローブボックスを提供することを目的とする。
【課題を解決するための手段】
【０００７】
上記目的を達成するために、本発明のグローブボックスは、グローブボックス本体と、シール部材を介して前記グローブボックス本体に着脱可能な開閉部と、で気密室を構成するグローブボックスであって、前記グローブボックス本体と前記開閉部との間に弾性力を付勢する複数のキャッチクリップと、前記各キャッチクリップの前記弾性力をそれぞれ調節する複数の弾性力調節手段と、を具備することを特徴とする。
【０００８】
この場合、前記キャッチクリップは、前記開閉部側に配置される係止部と、前記グローブボックス本体側に配置されるベース部と、前記係止部に係合可能なフック部と、前記ベース部と前記フック部との間に配置され前記弾性力を付勢する弾性部材と、で構成し、前記弾性力調節手段は、前記グローブボックス本体に固定される固定部と、前記固定部と前記ベース部とを連結すると共に当該固定部と当該ベース部との距離を調節する連結手段と、で構成すれば良い。
【０００９】
また、前記固定部は、溶接によって前記グローブボックスに固定される方が好ましい。
【発明の効果】
【００１０】
本発明のグローブボックスは、複数のキャッチクリップの力をそれぞれ調節することができるので、グローブボックス本体と開閉部の当接部に多少の歪みがあっても、各キャッチクリップの弾性力を調節することができ、気密性を保持しつつ開閉部を簡易に着脱することができる。
【図面の簡単な説明】
【００１１】
【図１】本発明のグローブボックスを示す概略正面図である。
【図２】本発明に係るキャッチクリップを示す平面図である。
【図３】本発明に係るキャッチクリップを示す正面図である。
【図４】本発明に係るキャッチクリップを示す正面図である。
【符号の説明】
【００１２】
１  グローブボックス
２  グローブボックス本体
３  開閉部
４  気密室
５  キャッチクリップ
６  弾性力調節手段
９  シール部材
51  係止部
52  ベース部
53  フック部
54  弾性部材
61  固定部
62  連結手段
【発明を実施するための最良の形態】
【００１３】
本発明のグローブボックス１は、図１ないし図４に示すように、グローブボックス本体２と、シール部材９を介してグローブボックス本体２に着脱可能な開閉部３と、で気密室４を構成するものであって、グローブボックス本体２と開閉部３との間に弾性力を付勢する複数のキャッチクリップ５と、各キャッチクリップ５の前記弾性力をそれぞれ調節する複数の弾性力調節手段６と、で主に構成される。
【００１４】
グローブボックス本体２は、内部に作業用の気密室４を形成するもので開口部21を有する箱状に形成される。開口部21の位置はどこに形成しても良いが、例えば、気密室４内を観察可能な窓31や、気密室４内で作業を行うためのグローブ32が配置される前面側に設ければ良い。また、グローブボックス本体２は、例えばステンレス鋼板で形成される。また、グローブボックス本体２には、図示しないが、気密室４内に不活性ガス等を供給する給気管や気密室４内を排気するための排気管等から構成され、気密室内４内の雰囲気を置換する置換手段等と接続される。また、バキューム型のグローブボックスの場合には、気密室４内を真空引きするために前記排気管が真空ポンプと接続される。
【００１５】
開閉部３は、気密室４を外部と開閉するためのもので、グローブボックス本体２と着脱可能に形成される。開閉部３には、例えば、気密室４内を観察可能な窓31や、気密室４内で作業を行うためのグローブ32が配置される。開閉部３の構造としては、例えば、グローブボックス本体２の開口部21の外側に嵌挿可能な蓋状に形成すれば良い。また開閉部３は、例えばステンレス鋼板や強化ガラス等で形成される。
【００１６】
グローブボックス本体２と開閉部３が当接する部分には、シール部材９が配置される。シール部材９は、グローブボックス本体２側に設けても、開閉部３側に設けても良い。
【００１７】
キャッチクリップ５は、開閉部３がグローブボックス本体２と当接する方向に弾性力を付勢することにより、開閉部３をグローブボックス本体に固定するためのもので、グローブボックス本体２と開閉部３が当接する部分の周囲に適当な間隔で複数配置される。
【００１８】
キャッチクリップ５の構造は、すでに市販されている通常の構造のものを用いることができるが、具体的には、図２ないし図４に示すように、開閉部３側に配置される係止部51と、グローブボックス本体２側に配置されるベース部52と、係止部51に係合可能なフック部53と、ベース部52とフック部53との間に配置され弾性力を付勢する弾性部材54と、で主に構成される。
【００１９】
係止部51は、開閉部３に溶接やボルトによって固定すれば良い。
【００２０】
また、ベース部52は、図４に示すように、支持部材52aと、支持部材52aの係止部51側端部に設けられた第１支軸52bと、支持部材52aに対し第１支軸52bを介して回動可能な操作レバー52cと、操作レバー52cの中央部に設けられ第１支軸52bと平行に設けられる第２支軸52dと、操作レバー52cに対し第２支軸52dを介して回動可能な第２アーム52eと、で構成される。また、第２アーム52eには、弾性部材54としてのコイルばねの端部に当接する第２当接部52fが設けられている。
【００２１】
また、フック部53にはベース部52側に延びる第１アーム53aが形成されており、第１アーム53aの端部には、コイルばね（弾性部材54）の端部に当接する第１当接部53bが設けられている。そして、第１アーム53aと第２アーム52eとを重ねた状態で、第１当接部53bと第２当接部52fの間にコイルばね（弾性部材54）が嵌挿された状態で配置される。
【００２２】
このように構成されたキャッチクリップ５は、次のように動作する。まず、フック部53を係止部51に係合した状態で、操作レバー52cを支持部材52aに近接する方向へ回動すると、第２支軸52dを介して第２アーム52eが支持部材52a側へ引っ張られる。すると、第１当接部53bと第２当接部52fの距離が小さくなり、コイルばね（弾性部材54）は小さくなった距離に応じて弾性力をフック部53及び係止部51に付勢する。これにより、グローブボックス本体２と開閉部３は密接した状態で固定される。
【００２３】
逆に、操作レバー52cを支持部材52a側から離れる方向へ回動すると、第２支軸52dを介して第２アーム52eがフック部53側へ移動する。すると、第１当接部53bと第２当接部52fの距離が元に戻り、フック部53及び係止部51に付勢されていた弾性力は解除される。更に、操作レバー52cを支持部材52a側から離れる方向へ回動すると、フック部53が係止部51から解除され、グローブボックス本体２から開閉部３が解除される。
【００２４】
弾性力調節手段６は、キャッチクリップ５の係止部51とフック部53とが係合した状態における弾性力を調節するものであり、例えば、グローブボックス本体２に固定される固定部61と、固定部61とベース部52とを連結すると共に当該固定部61と当該ベース部52との距離を調節する連結手段62と、で構成すれば良い。
【００２５】
固定部61は、ベース部52を間に挟んで係止部51と対向する位置で、グローブボックス本体２に溶接やボルトによって固定すれば良い。ただし、真空排気することなく不活性ガス等に置換する大気圧型のグローブボックスは、真空排気後に不活性ガス等に置換するバキューム型のグローブボックスに比較してグローブボックス本体２の厚みが小さいため、ボルトを使用すると気密室４までボルトが貫通することになり気密性が下がる。したがって、この場合には溶接により固定する方が好ましい。
【００２６】
連結手段62は、固定部61とベース部52とを連結でき、かつ固定部61とベース部52との距離を調節することができればどのようなものでも良いが、例えば、キャッチクリップ５の支持部材52aを固定する連結ベース62aと、当該連結ベース62a及び固定部61に設けられた孔を嵌挿してそれぞれを連結するボルト62b及びナット62cとで構成すれば良い。これにより、市販のキャッチクリップを簡易に利用できる。なお、連結ベース62aを用いずに、固定部61とベース部52とを直接ボルト62b及びナット62cで連結できるキャッチクリップを形成しても良い。
【００２７】
これにより、固定部61に対するベース部52の位置を調節すると、フック部53と係止部51を係合し弾性力を付勢している状態において、第１当接部53bと第２当接部52fの距離が変化し、当該変化に応じて弾性力を調節することができる。
【００２８】
グローブボックス１をこのように構成することにより、複数のキャッチクリップ５の力をそれぞれ調節することができるので、グローブボックス本体２と開閉部３の当接部に多少の歪みがあっても、各キャッチクリップ５の弾性力を調節することができ、気密性を保持しつつ開閉部３を簡易に着脱することができる。
【図１】
2012148349.tif 000003
【図２】
2012148349.tif 000004
【図３】
2012148349.tif 000005
【図４】
2012148349.tif 000006